(57)【要約】【課題】  テープカッターを使用後粘着テープが巻き戻り、粘着テープ端がわかりにくい。【解決手段】  テープカッターにおいて、カッターボディーにテープ押さえユニットは、テープ押さえユニット軸と軸受けにより扇転自在に構成されていて、カッターボディー左右側部の間に一部を粘着面とする梁を形成して、テープ押さえユニットの外周に半円柱バーをカッター刃と並行に形成して、テープ押さえユニット左右側部の内側に、テープ押さえユニットの下がり止めと上がり止めフックを設け、テープ押さえユニットの内側に形成する蛇腹スプリングの一端を蛇腹スプリング梁にし、他端を指押しバーにして、蛇腹スプリング梁の端はテープ押さえユニット左右側部に接合して、指押しバーにカッター刃を形成する。【選択図】  図５
2017071508.tif 000002
【特許請求の範囲】
【請求項１】
テープカッターにおいて、粘着テープを収納して使用するテープカッターは、紙管ホルダーとテープ押さえ板を有するカッターボディーと、カッター刃を有しカッターボディーに装着するテープ押さえユニットにより構成されていて、カッターボディー右側部とカッターボディー左側部に外向きのテープ押さえユニット軸を設けて有り、カッターボディー右側部とカッターボディー左側部の間に一部を粘着面とする梁を形成してあって、カッターボディー右側部とカッターボディー左側部に屏風折れが形成されていて、テープ押さえユニットに半円柱バーをカッター刃と並行に形成していて、テープ押さえユニット右側部とテープ押さえユニット左側部に軸受けを設けて、テープ押さえユニット軸に軸受けを装着してあって、テープ押さえユニットはテープ押さえユニット軸を軸として揺動出来て、テープ押さえユニット右側部の内側とテープ押さえユニット左側部の内側に、テープ押さえユニットの下がり止めとテープ押さえユニットの上がり止めフックが形成されている、と共に、テープ押さえユニットの内側に形成する蛇腹スプリングの一端を蛇腹スプリング梁にし、他端を指押しバーにしてあり、蛇腹スプリング梁の一方の端はテープ押さえユニット右側部に接合し他端をテープ押さえユニット左側部に接合してあって、指押しバーにカッター刃が形成されていて、指で指押しバーを下げて、粘着テープを指押しバーと付着面とで挟んでから粘着テープをカッター刃で切断することを特徴とするテープカッター。
【請求項２】
テープカッターにおいて、粘着テープを収納して使用するテープカッターは、テープカッター右側部の上部とテープカッター左側部の上部を繋ぐテープ押さえ板を有するテープ押さえ板梁が設けて有り、テープカッター右側部の端とテープカッター左側部の端を繋ぐカッター刃梁を形成してあって、カッター刃梁にカッター刃を設けて、テープ押さえ板梁とカッター刃梁の間を指挿入口にしていて、テープカッター左側部からテープカッター右側部の内側近く迄伸びる付着バーが形成されている、と共に、テープカッター右側部の内側とテープカッター左側部の内側に紙管ホルダーが形成され、テープカッター右側部とテープカッター左側部にスプリング帯を設けてあって、テープカッター右側部端の外側とテープカッター左側部端の外側にカッター刃カバー軸が形成され、カッター刃カバー軸に装着するカッター刃カバーに軸受けが設けられていることを特徴とするテープカッター。
【請求項３】
テープカッターにおいて、粘着テープを収納して使用するテープカッターは、テープカッター上部に指挿入口と、カッター刃と、粘着テープの前進を止める為の上前進止めが設けられ、テープカッター右側部の内側とテープカッター左側部の内側に粘着テープの前進を止める為の下前進止めを形成してあって、テープカッター左側部内側よりテープカッター右側部の近く迄伸びる付着バーが形成されていて、テープカッター右側部とテープカッター左側部を後方に伸ばして粘着テープの後退止めにしていることを特徴とするテープカッター。
【請求項４】
テープカッターにおいて、粘着テープに装着して使用するテープカッターは、カッター刃を有するカッターボディーと、粘着テープを装着するテープ支持アームにより構成されていて、カッターボディーは、カッターボディー上面に指挿入口を形成してあり、ボディー左側部内側に粘着面付着バーを設けてあって、ボディー左側部内面とボディー右側部内面に軸受けが形成されている、と共に、テープ支持アームは、左支持アームと、右支持アームと、左支持アーム上部と右支持アーム上部を繋ぐジョイント梁の構成に成っていて、左支持アーム内面と右支持アーム内面に向かう粘着テープ紙管フックが形成され、左支持アーム外面と右支持アーム外面に扇転軸を設けてあって、ボディー左側部内面とボディー右側部内面に形成した軸受の中央の穴に扇転軸を挿入して、カッターボディーとテープ支持アームは扇状に開閉自在になっていて、ボディー左側部内側に、ボディー左側部内側に設けた軸受けの中心より放射状に複数の角度調整隆起が形成され、左支持アーム外面に扇転軸より放射線上に角度調整突起を設けてあって、角度調整隆起に角度調整突起が係止できることを特徴とするテープカッター。
【発明の詳細な説明】
【技術分野】
【０００１】
粘着テープに装着して粘着テープを切断する簡易テープカッターに関する。
【背景技術】
【０００２】
従来簡易テープカッターは、粘着テープをカッター刃で切断する際に、粘着テープの粘着面を付着板に確実に付着する事なしに行われて、粘着テープ端が巻き戻り粘着テープに張り付いて、粘着テープ端を再度探して剥がすのは手間がかかる欠点があった。
【０００３】
従来簡易テープカッターは、指等がカッター刃に触れやすい形状のものが多く危険性が高かった。
【先行技術文献】
【特許文献】
【０００４】
【特許文献１】特開２００９−２９６０９号公報
【特許文献２】特開２００８−６０４１号公報
【発明の概要】
【発明が解決しようとする課題】
【０００５】
特許文献１は、粘着テープを切断した後に粘着テープが巻き戻り粘着テープ端が解りにくい。
【０００６】
本発明は、以上のような従来の欠点に鑑み、粘着テープから巻き外された粘着テープ端の粘着面を仮止めする際に、指先で粘着テープを押し下げて粘着テープの粘着面を付着板に付着することが出来る簡易テープカッターを提供することで問題点を解決した。
【課題を解決するための手段】
【０００７】
請求項１は、テープカッターにおいて、粘着テープを収納して使用するテープカッターは、紙管ホルダーとテープ押さえ板を有するカッターボディーと、カッター刃を有しカッターボディーに装着するテープ押さえユニットにより構成されていて、カッターボディー右側部とカッターボディー左側部に外向きのテープ押さえユニット軸を設けて有り、カッターボディー右側部とカッターボディー左側部の間に一部を粘着面とする梁を形成してあって、カッターボディー右側部とカッターボディー左側部に屏風折れが形成されていて、テープ押さえユニットに半円柱バーをカッター刃と並行に形成していて、テープ押さえユニット右側部とテープ押さえユニット左側部に軸受けを設けて、テープ押さえユニット軸に軸受けを装着してあって、テープ押さえユニットはテープ押さえユニット軸を軸として揺動出来て、テープ押さえユニット右側部の内側とテープ押さえユニット左側部の内側に、テープ押さえユニットの下がり止めとテープ押さえユニットの上がり止めフックが形成されている、と共に、テープ押さえユニットの内側に形成する蛇腹スプリングの一端を蛇腹スプリング梁にし、他端を指押しバーにしてあり、蛇腹スプリング梁の一方の端はテープ押さえユニット右側部に接合し他端をテープ押さえユニット左側部に接合してあって、指押しバーにカッター刃が形成されていて、指で指押しバーを下げて、粘着テープを指押しバーと付着面とで挟んでから粘着テープをカッター刃で切断するテープカッター。
【０００８】
請求項２は、テープカッターにおいて、粘着テープを収納して使用するテープカッターは、テープカッター右側部の上部とテープカッター左側部の上部を繋ぐテープ押さえ板を有するテープ押さえ板梁が設けて有り、テープカッター右側部の端とテープカッター左側部の端を繋ぐカッター刃梁を形成してあって、カッター刃梁にカッター刃を設けて、テープ押さえ板梁とカッター刃梁の間を指挿入口にしていて、テープカッター左側部からテープカッター右側部の内側近く迄伸びる付着バーが形成されている、と共に、テープカッター右側部の内側とテープカッター左側部の内側に紙管ホルダーが形成され、テープカッター右側部とテープカッター左側部にスプリング帯を設けてあって、テープカッター右側部端の外側とテープカッター左側部端の外側にカッター刃カバー軸が形成され、カッター刃カバー軸に装着するカッター刃カバーに軸受けが設けられているテープカッター。
【０００９】
請求項３は、テープカッターにおいて、粘着テープを収納して使用するテープカッターは、テープカッター上部に指挿入口と、カッター刃と、粘着テープの前進を止める為の上前進止めが設けられ、テープカッター右側部の内側とテープカッター左側部の内側に粘着テープの前進を止める為の下前進止めを形成してあって、テープカッター左側部内側よりテープカッター右側部の近く迄伸びる付着バーが形成されていて、テープカッター右側部とテープカッター左側部を後方に伸ばして粘着テープの後退止めにしているテープカッター。
【００１０】
請求項４は、テープカッターにおいて、粘着テープに装着して使用するテープカッターは、カッター刃を有するカッターボディーと、粘着テープを装着するテープ支持アームにより構成されていて、カッターボディーは、カッターボディー上面に指挿入口を形成してあり、ボディー左側部内側に粘着面付着バーを設けてあって、ボディー左側部内面とボディー右側部内面に軸受けが形成されている、と共に、テープ支持アームは、左支持アームと、右支持アームと、左支持アーム上部と右支持アーム上部を繋ぐジョイント梁の構成に成っていて、左支持アーム内面と右支持アーム内面に向かう粘着テープ紙管フックが形成され、左支持アーム外面と右支持アーム外面に扇転軸を設けてあって、ボディー左側部内面とボディー右側部内面に形成した軸受の中央の穴に扇転軸を挿入して、カッターボディーとテープ支持アームは扇状に開閉自在になっていて、ボディー左側部内側に、ボディー左側部内側に設けた軸受けの中心より放射状に複数の角度調整隆起が形成され、左支持アーム外面に扇転軸より放射線上に角度調整突起を設けてあって、角度調整隆起に角度調整突起が係止できることを特徴とするテープカッター。
【００１１】
請求項１に対応するテープカッターは、粘着テープを収納して使用するテープカッターは紙管ホルダーとテープ押さえ板を有するカッターボディーと、カッター刃を有しカッターボディーに装着するテープ押さえユニットにより構成されていている。
【００１２】
カッターボディーに、カッターボディー右側部の外向きとカッターボディー左側部の外向きに、テープ押さえユニットを装着するためのテープ押さえユニット軸を設けて、カッターボディー右側部とカッターボディー左側部の間に梁を形成して、梁の一部を粘着テープの粘着面を付着する為の付着面として、カッターボディー右側部とカッターボディー左側部に形成された紙管ホルダーの間を容易に広げて、紙管ホルダーに粘着テープを装着する為の屏風折れをカッターボディー右側部とカッターボディー左側部に形成する。
【００１３】
テープ押さえユニットの外周に半円柱バーをカッター刃と並行に形成して、テープ押さえユニット右側部とテープ押さえユニット左側部に軸受けを設けて、テープ押さえユニット軸に軸受けを装着して、テープ押さえユニットはテープ押さえユニット軸を要として扇転自在になっている。
【００１４】
テープ押さえユニット右側部の内側とテープ押さえユニット左側部の内側に、テープ押さえユニットの下がり止めとテープ押さえユニットの上がり止めフックを形成する。
【００１５】
テープ押さえユニットの内側に形成する蛇腹スプリングの一端を蛇腹スプリング梁にし、他端を指押しバーにして、蛇腹スプリング梁の一方の端はテープ押さえユニット右側部に接合し他端をテープ押さえユニット左側部に接合して、指押しバーにカッター刃を形成する。
【００１６】
請求項２に対応するテープカッターは、粘着テープを収納して使用するテープカッターは、テープカッター右側部の上部とテープカッター左側部の上部を繋ぐテープ押さえ板を有するテープ押さえ板梁を設け、テープカッター右側部の端とテープカッター左側部の端を繋ぐカッター刃梁を形成して、テープ押さえ板梁とカッター刃梁の間に指挿入口を設けて、テープカッター左側部からテープカッター右側部の内側近く迄伸びる付着バーを形成する。
【００１７】
カッター刃梁にカッター刃を形成して、テープカッター右側部の内側とテープカッター左側部の内側に紙管ホルダーを形成し、左右の紙管ホルダーの間を容易に広げる為にスプリング帯をテープカッター右側部とテープカッター左側部に設けて、テープカッター右側部端の外側とテープカッター左側部端の外側にカッター刃カバー軸を形成して、カッター刃カバー軸に装着するカッター刃カバーに軸受けを設けて、軸受けをカッター刃カバー軸(３５)に装着する。
【００１８】
請求項３に対応するテープカッターは、粘着テープを収納して使用するテープカッターは、テープカッター上部に指挿入口と、カッター刃と、巻き粘着テープの前進を止める為の上前進止めを設け、テープカッター右側部の内側とテープカッター左側部の内側に巻き粘着テープの前進を止める為の下前進止めを形成して、テープカッター左側部内側よりテープカッター右側部の近く迄伸びる粘着テープの粘着面が付着する付着バーを形成して、テープカッター右側部とテープカッター左側部を後方に伸ばして粘着テープの後退止めにする。
【００１９】
請求項４に対応するテープカッターは、粘着テープに装着して使用するテープカッターは、カッター刃を有するカッターボディーと、粘着テープを装着するテープ支持アームにより構成される。
【００２０】
カッターボディーは、カッターボディー上面に指挿入口を形成して、ボディー左側部内側にボディー左側部内側よりボディー右側部方向に伸びる粘着テープ粘着面付着バーを設けて、ボディー左側部内面とボディー右側部内面にテープ支持アームを装着する為の円形の軸受けを形成する。
【００２１】
テープ支持アームは、左支持アームと、右支持アームと、左支持アーム上部と右支持アーム上部を繋ぐジョイント梁の構成に成っていて、左支持アーム内面と右支持アーム内面に向かう粘着テープ紙管フックを形成して、左支持アーム外面と右支持アーム外面に扇転軸を設けて、ボディー左側部内面とボディー右側部内面に形成した軸受けの中央の穴に扇転軸を挿入して、カッターボディーとテープ支持アームは扇状に開閉自在になっている。
【００２２】
扇転軸を要にしたカッターボディーとテープ支持アームの開閉角度を調整するために、ボディー左側部内側に設けた軸受けの中心より放射状に複数の角度調整隆起を形成して、左支持アーム外面の扇転軸より放射線上に角度調整突起を設けて、角度調整隆起に角度調整突起を係止する。
【発明の効果】
【００２３】
以下図面に基づき説明する。
図１−図７符合１−符号２２は、粘着テープ（１）を収納して使用するテープカッター(２)は紙管ホルダー(３)とテープ押さえ板(４)を有するカッターボディー(５)と、カッター刃(６)を有しカッターボディー(５)に装着するテープ押さえユニット(７)により構成されていて、カッターボディー右側部(８)の外向きとカッターボディー左側部(９)の外向きにテープ押さえユニット軸(１０)を設けて、テープ押さえユニット右側部(１５)とテープ押さえユニット左側部(１６)に軸受け(１７)を設けることにおいて、テープ押さえユニット軸(１０)に軸受け(１７)を装着して、テープ押さえユニット(７)はテープ押さえユニット軸(１０)を要として扇転自在であって、粘着テープ（１）端を半円柱バー(１４)迄引容易に引き出せる。
【００２４】
テープ押さえユニット(７)の外周に半円柱バー(１４)をカッター刃(６)と並行に形成して、テープ押さえユニット(７)の内側に形成する蛇腹スプリング(２０)の一端を蛇腹スプリング梁(２１)にし、他端を指押しバー(２２)にして、蛇腹スプリング梁(２１)の一方の端はテープ押さえユニット右側部(１５)に接合し他端をテープ押さえユニット左側部(１６)に接合して、指押しバー(２２)にカッター刃(６)を形成することにおいて、指押しバー(２２)上を指で押し指押しバー(２２)を下げて、粘着テープ（１）を指で指押しバー(２２)と付着面(１２)とで挟んでから粘着テープ（１）をカッター刃(６)で切断できる、と共に、通常は半円柱バー(１４)がカッター刃(６)カバーになる。
【００２５】
テープ押さえユニット右側部(１５)の内側とテープ押さえユニット左側部(１６)の内側に、テープ押さえユニット(７)の下がり止め(１８)とテープ押さえユニット(７)の上がり止めフック(１９)を形成することにおいて、上がり止めフック(１９)を梁(１１)下部に係止して、梁(１１)を上がり止めフック(１９)と下がり止め(１８)で挟みテープ押さえユニット(７)とカッターボディー(５)を一体として使用出来る。
【００２６】
テープ押さえユニット(７)の内側に形成する蛇腹スプリング(２０)の一端を蛇腹スプリング梁(２１)にし、他端を指押しバー(２２)にして、蛇腹スプリング梁(２１)の一方の端はテープ押さえユニット右側部(１５)に接合し他端をテープ押さえユニット左側部(１６)に接合して、指押しバー(２２)にカッター刃(６)を形成することにおいて、蛇腹スプリング(２０)は短い距離で必要とする指押しバー(２２)の上下幅を確保できる。
【００２７】
図８−図１２符合２３−符号３７は、粘着テープ（２３）を収納して使用するテープカッター(２４)は、テープカッター右側部(２５)の上部とテープカッター左側部(２６)の上部を繋ぐテープ押さえ板(２７)を有するテープ押さえ板梁(２８)を設け、テープカッター右側部(２５)の端とテープカッター左側部(２６)の端を繋ぐカッター刃梁(２９)を設け、カッター刃梁(２９)にカッター刃(３２)を形成して、テープ押さえ板梁(２８)とカッター刃梁(２９)の間を指挿入口(３０)として、テープカッター左側部(２６)の内側からテープカッター右側部(２５)近く迄伸びる付着バー(３１)を形成することにおいて、指挿入口(３０)より指を挿入し粘着テープ（２３）を下げて、粘着テープ（２３）の粘着面を付着バー(３１)に付着して、その状態を保持したまま粘着テープ（２３）をカッター刃(３２)で切断することで粘着テープ（２３）端の巻き戻りを防げる、と共に、粘着テープ（２３）の端とカッター刃(３２)の距離が粘着テープ（２３）の端を指でつまめる距離を生むことが出来る。
【００２８】
テープカッター右側部(２５)の内側とテープカッター左側部(２６)の内側に紙管ホルダー(３３)を形成して、テープカッター右側部(２５)とテープカッター左側部(２６)にスプリング帯(３４)を設けることにおいて、粘着テープ（２３）を紙管ホルダー(３３)に装着時に必要とする左右の紙管ホルダー(３３)間の幅を容易に確保出来る。
【００２９】
図１３−図２０符合３８−符号４８は、粘着テープ（３８）を収納して使用するテープカッター(３９)は、テープカッター上部(４０)に指挿入口(４１)と、カッター刃(４２)と、巻き粘着テープ（３８）の前進を止める為の上前進止め(４３)を設け、テープカッター右側部(４４)の内側とテープカッター左側部(４５)の内側に巻き粘着テープ（３８）の前進を止める為の下前進止め(４６)を形成して、テープカッター左側部(４５)内側よりテープカッター右側部(４４)の近く迄伸びる粘着テープ（３８）の粘着面が付着する付着バー(４７)を形成して、テープカッター右側部(４４)とテープカッター左側部(４５)を後方に伸ばして粘着テープ（３８）の後退止め(４８)にすることにおいて、粘着テープ（３８）をカッター刃(４２)で切断する際に指挿入口(４１)より指を挿入し粘着テープ（３８）を押して粘着テープ（３８）の粘着面を付着バー(４７)に付着して、その状態を保持し粘着テープ（３８）をカッター刃(４２)で切断することで粘着テープ（３８）端の巻き戻りを防げる、と共に、粘着テープ（３８）の端とカッター刃(４２)の距離と、粘着テープ（３８）の端と付着バー(４７)との距離が粘着テープ（３８）の端を指でつまめる距離を生むことが出来る。
【００３０】
図２１−図２９符合４９−符号６５は、粘着テープ（４９）に装着して使用するテープカッター(５０)は、カッター刃(５１)を有するカッターボディー(５２)と、粘着テープ（４９）を装着するテープ支持アーム(５３)により構成されていて, テープ支持アーム(５３)は、左支持アーム(５９)と、右支持アーム(６０)と、左支持アーム(５９)上部と右支持アーム(６０)上部を繋ぐジョイント梁(６１)の構成に成っていて、左支持アーム(５９)内面と右支持アーム(６０)内面に向かう紙管フック(６２)を形成することにおいて、左支持アーム(５９)と右支持アーム(６０)を開いて粘着テープ（４９）の紙管を紙管フック(６２)に装着出来る。
【００３１】
ボディー左側部(５５)内面とボディー右側部(５６)内面にテープ支持アーム(５３)を装着する為の円形の軸受け(５８)を形成して、左支持アーム(５９)外面と右支持アーム(６０)外面に扇転軸(６３)を設けて、ボディー左側部(５５)内面とボディー右側部(５６)内面に形成した軸受け(５８)の中央の穴に扇転軸(６３)を挿入することにおいて、カッターボディー(５２)とテープ支持アーム(５３)は扇状に開閉自在になって、紙管フック(６２)に装着した粘着テープ（４９）端をカッター刃(５１)方向に容易に持っていける。
【００３２】
ボディー左側部(５５)内側に設けた軸受け(５８)中心より放射状に複数の角度調整隆起(６４)を形成して、左支持アーム(５９)外面に左支持アーム(５９)外面の扇転軸(６３)より放射線上に角度調整突起(６５)を設けることにおいて、角度調整隆起(６４)と角度調整突起(６５)の係止位置を変えて、粘着テープ（４９）残量の変化に対して発生するカッターボディー(５２)とテープ支持アーム(５３)の扇転軸(６３)を要にした開閉角度の変化を調整することが出来る。
【００３３】
ボディー左側部(５５)内側にボディー左側部(５５)内側よりボディー右側部(５６)方向に伸びる粘着テープ（４９）粘着面付着バー(５７)を形成して、カッターボディー(５２)上面に指挿入口(５４)を設けることにおいて、指挿入口(５４)より指を挿入して、指先で粘着テープ（４９）を押さえ粘着テープ（４９）の粘着面を粘着面付着バー(５７)に付着して粘着テープ（４９）をカッター刃(５１)で切断出来て、粘着テープ（４９）端が粘着テープ（４９）に付着する事を防止できる、と共に、粘着面付着バー(５７)よりカッター刃(５１)が前にあることで粘着テープ（４９）端を指先でつまんで粘着テープ（４９）端を引き出すことが容易に成っている。
【図面の簡単な説明】
【００３４】
【図１】テープカッター（２）の右側面図。
【図２】テープカッター（２）の平面図、切断線Ａ−Ａ線を示す。
【図３】テープカッター（２）の底面図、カッター刃(６)方向を正面としている。
【図４】テープカッター（２）の右側面図、テープ押さえユニット(７)を上に扇転している。
【図５】テープカッター（２）のイメージ右側面図。
【図６】図２のＡ−Ａ線切断部端面図。
【図７】カッターボディー(５)の右側面図
【図８】テープカッター（２４）の右側面図。
【図９】テープカッター（２４）の平面図、切断線Ｂ−Ｂ線を示す。
【図１０】テープカッター（２４）の底面図。
【図１１】テープカッター（２４）のイメージ右側面図。
【図１２】図９のＢ−Ｂ線切断部端面図。
【図１３】テープカッター（３９）の正面図。
【図１４】テープカッター（３９）の背面図。
【図１５】テープカッター（３９）の右側面図。
【図１６】テープカッター（３９）の左側面図。
【図１７】テープカッター（３９）の平面図。
【図１８】テープカッター（３９）の底面図。
【図１９】テープカッター（３９）の展開図。
【図２０】テープカッター（３９）の参考イメージ右側面図。
【図２１】テープカッター(５０)の右側面図。
【図２２】テープカッター(５０)の左側面図。
【図２３】テープカッター(５０)の正面図。
【図２４】テープカッター(５０)の背面図。
【図２５】テープカッター(５０)の平面図、左を正面としている。
【図２６】テープカッター(５０)の底面図、左を正面としている。
【図２７】カッターボディー(５２)を上に上げて、粘着テープ（４９）を紙管フック(６２)に装着している、テープカッター(５０)の右側面図。
【図２８】粘着テープ（４９）端を引き出したテープカッター(５０)の右側面図。
【図２９】指挿入口(５４)より指を挿入し指先で粘着テープ（４９）を押さえて、粘着テープ（４９）の粘着面を粘着面付着バー(５７)に付着し、粘着テープ（４９）をカッター刃(５１)で切断するテープカッター(５０)の右側面図。
【発明を実施するための形態】
【００３５】
以下図面に基づき説明する。
図１−図７符合１−符号２２は、粘着テープ（１）を収納して使用するテープカッター(２)は紙管ホルダー(３)とテープ押さえ板(４)を有するカッターボディー(５)と、カッター刃(６)を有しカッターボディー(５)に装着するテープ押さえユニット(７)により構成されている。
【００３６】
カッターボディー(５)に、カッターボディー右側部(８)の外向きとカッターボディー左側部(９)の外向きに、テープ押さえユニット(７)を装着するためのテープ押さえユニット軸(１０)を設けていて、カッターボディー右側部(８)とカッターボディー左側部(９)の間に梁(１１)を形成してあって、梁(１１)の一部を粘着テープ（１）の粘着面を付着する為の付着面(１２)にしている。
【００３７】
カッターボディー右側部(８)とカッターボディー左側部(９)に形成された紙管ホルダー(３)の間を、テープ押さえユニット軸(１０)と紙管ホルダー(３)の短い距離で容易に広げ、紙管ホルダー(３)に粘着テープ（１）を挟む様に装着する為のスプリング効果としての屏風折れ(１３)がカッターボディー右側部(８)とカッターボディー左側部(９)に形成されている。
【００３８】
テープ押さえユニット(７)の外周に半円柱バー(１４)又は小さいローラーをカッター刃(６)と並行に形成して、テープ押さえユニット右側部(１５)とテープ押さえユニット左側部(１６)に軸受け(１７)を設けてあって、テープ押さえユニット軸(１０)に軸受け(１７)を装着して、テープ押さえユニット(７)はテープ押さえユニット軸(１０)を要として扇転自在になっている。
【００３９】
テープ押さえユニット右側部(１５)の内側とテープ押さえユニット左側部(１６)の内側に、テープ押さえユニット(７)の下がり止め(１８)とテープ押さえユニット(７)の上がり止めフック(１９)が形成されている。
【００４０】
テープ押さえユニット(７)の内側に形成する蛇腹スプリング(２０)の一端を蛇腹スプリング梁(２１)にして、他端を指押しバー(２２)にしていて、蛇腹スプリング梁(２１)の一方の端はテープ押さえユニット右側部(１５)に接合し他端をテープ押さえユニット左側部(１６)に接合していて、指押しバー(２２)にカッター刃(６)が形成されている。
【００４１】
テープカッター(２)への粘着テープ（１）の装着方法は、テープ押さえユニット右側部(１５)の内側とテープ押さえユニット左側部(１６)の内側に形成された上がり止めフック(１９)を左右に広げて、上がり止めフック(１９)と梁(１１)下部との係止を解いて、テープ押さえユニット(７)の半円柱バー(１４)を上に上げる。
【００４２】
カッターボディー右側部(８)とカッターボディー左側部(９)を左右に広げて紙管ホルダー(３)に粘着テープ（１）を装着して、粘着テープ（１）端を半円柱バー(１４)迄引き出して、半円柱バー(１４)を下げ、梁(１１)下部に上がり止めフック(１９)を係止する。
【００４３】
テープカッター(２)使用方法は、指で指押しバー(２２)を下げて、粘着テープ（１）を指で指押しバー(２２)と付着面(１２)とで挟んでから粘着テープ（１）をカッター刃(６)で切断する。
【００４４】
図８−図１２符合２３−符号３７は、粘着テープ（２３）を収納して使用するテープカッター(２４)は、テープカッター右側部(２５)の上部とテープカッター左側部(２６)の上部を繋ぐテープ押さえ板(２７)を有するテープ押さえ板梁(２８)が設けて有り、テープカッター右側部(２５)の端とテープカッター左側部(２６)の端を繋ぐカッター刃梁(２９)を形成してあって、テープ押さえ板梁(２８)とカッター刃梁(２９)の間を指挿入口(３０)としていて、テープカッター左側部(２６)からテープカッター右側部(２５)の内側近く迄伸びる付着バー(３１)が形成されている。
【００４５】
カッター刃梁(２９)にカッター刃(３２)を形成して、テープカッター右側部(２５)の内側とテープカッター左側部(２６)の内側に紙管ホルダー(３３)を形成していて、左右の紙管ホルダー(３３)の間を容易に広げる為にスプリング帯(３４)をテープカッター右側部(２５)とテープカッター左側部(２６)に設けてあって、テープカッター右側部(２５)端の外側とテープカッター左側部(２６)端の外側にカッター刃カバー軸(３５)を形成して、カッター刃カバー軸(３５)に装着するカッター刃カバー(３６)に軸受け(３７)を設けて有り、軸受け(３７)をカッター刃カバー軸(３５)に装着している。
【００４６】
テープカッター(２４)への粘着テープ（２３）の装着方法は、テープカッター右側部(２５)の紙管ホルダー(３３)とテープカッター左側部(２６)の紙管ホルダー(３３)の間を広げて紙管ホルダー(３３)に粘着テープ（２３）を装着して、粘着テープ（２３）端をカッター刃カバー(３６)迄引き出して粘着テープ（２３）の粘着面を付着バー(３１)に付着する
【００４７】
テープカッター(２４)使用方法は、粘着テープ（２３）の粘着面を付着バー(３１)より外して、粘着テープ（２３）を使用する距離分引き出し、指挿入口(３０)より指を挿入して、粘着テープ（２３）を指で指押し粘着テープ（２３）を下げて、粘着テープ（２３）の粘着面を付着バー(３１)に付着して、その状態を保持したまま粘着テープ（２３）をカッター刃(３２)で切断する。
【００４８】
図１３−図２０符合３８−符号４８は、粘着テープ（３８）を収納して使用するテープカッター(３９)は、テープカッター上部(４０)に指挿入口(４１)と、カッター刃(４２)と、粘着テープ（３８）の端を引き出す際に粘着テープ（３８）の前進を止める為の上前進止め(４３)を設け、テープカッター右側部(４４)の内側とテープカッター左側部(４５)の内側に粘着テープ（３８）の前進を止める為の下前進止め(４６)を形成して有り、テープカッター左側部(４５)内側よりテープカッター右側部(４４)の近く迄伸びる粘着テープ（３８）の粘着面が付着する付着バー(４７)を形成していて、テープカッター右側部(４４)とテープカッター左側部(４５)を後方に伸ばして粘着テープ（３８）の後退止め(４８)にしている。
【００４９】
図２１−図２９符合４９−６５は、粘着テープ（４９）に装着して使用するテープカッター(５０)は、カッター刃(５１)を有するカッターボディー(５２)と、粘着テープ（４９）を装着するテープ支持アーム(５３)により構成されている。
【００５０】
カッターボディー(５２)は、カッターボディー(５２)上面に指挿入口(５４)を形成して有り、ボディー左側部(５５)内側にボディー左側部(５５)内側よりボディー右側部(５６)方向にボディー右側部(５６)近く迄伸びていて、粘着テープ（４９）の粘着面を付着する粘着面付着バー(５７)を設けてあって、ボディー左側部(５５)内面とボディー右側部(５６)内面にテープ支持アーム(５３)を装着する為の円形の軸受け(５８)が形成されている。
【００５１】
テープ支持アーム(５３)は、左支持アーム(５９)と、右支持アーム(６０)と、左支持アーム(５９)上部と右支持アーム(６０)上部を繋ぐジョイント梁(６１)の構成に成っていて、左支持アーム(５９)内面と右支持アーム(６０)内面に向かう粘着テープ（４９）を装着する紙管フック(６２)を形成して有り、左支持アーム(５９)外面と右支持アーム(６０)外面に扇転軸(６３)を設けてあって、ボディー左側部(５５)内面とボディー右側部(５６)内面に形成した軸受け(５８)の中央の穴に扇転軸(６３)を挿入して、カッターボディー(５２)とテープ支持アーム(５３)は扇転軸(６３)を要にして扇状に開閉自在になっている。
【００５２】
扇転軸(６３)を要にしたカッターボディー(５２)とテープ支持アーム(５３)の開閉角度を調整するために、ボディー左側部(５５)内側に設けた軸受け(５８)の中心より放射状に複数の角度調整隆起(６４)を複数形成してあり、左支持アーム(５９)外面の扇転軸(６３)より放射線上に角度調整突起(６５)を設けてあって、角度調整隆起(６４)に角度調整突起(６５)が係止されている。
【００５３】
テープカッター(５０)の使用方法は、テープカッター(５０)のカッターボディー(５２)とテープ支持アーム(５３)の角度を広げて、左支持アーム(５９)と右支持アーム(６０)を開いて粘着テープ（４９）を紙管フック(６２)に装着して、粘着テープ（４９）端をカッター刃(５１)より前まで持って行き、カッターボディー(５２)とテープ支持アーム(５３)の角度を狭めることで粘着テープ（４９）に装着されたテープカッター(５０)は使用可能状態になる。
【００５４】
粘着テープ（４９）端を引き出して、指挿入口(５４)より指を挿入し指先で粘着テープ（４９）を押さえ粘着テープ（４９）の粘着面を粘着面付着バー(５７)に付着して、粘着テープ（４９）をカッター刃(５１)で切断する。
【産業上の利用可能性】
【００５５】
本考案の金型は安価であって、機能は充実しているので、産業上の利用可能性は高いものと思われます。
【符号の説明】
【００５６】
１  粘着テープ
２  テープカッター
３  紙管ホルダー
４  テープ押さえ板
５  カッターボディー
６  カッター刃
７  テープ押さえユニット
８  カッターボディー右側部
９  カッターボディー左側部
１０  テープ押さえユニット軸
１１  梁
１２  付着面
１３  屏風折れ
１４  半円柱バー
１５  テープ押さえユニット右側部
１６  テープ押さえユニット左側部
１７  軸受け
１８  下がり止め
１９  上がり止めフック
２０  蛇腹スプリング
２１  蛇腹スプリング梁
２２  指押しバー
２３  粘着テープ
２４  テープカッター
２５  テープカッター右側部
２６  テープカッター左側部
２７  テープ押さえ板
２８  テープ押さえ板梁
２９  カッター刃梁
３０  指挿入口
３１  付着バー
３２  カッター刃
３３  紙管ホルダー
３４  スプリング帯
３５  カッター刃カバー軸
３６  カッター刃カバー
３７  軸受け
３８  粘着テープ
３９  テープカッター
４０  テープカッター上部
４１  指挿入口
４２  カッター刃
４３  上前進止め
４４  テープカッター右側部
４５  テープカッター左側部
４６  下前進止め
４７  付着バー
４８  後退止め
４９  粘着テープ
５０  テープカッター
５１  カッター刃
５２  カッターボディー
５３  テープ支持アーム
５４  指挿入口
５５  ボディー左側部
５６  ボディー右側部
５７  粘着面付着バー
５８  軸受け
５９  左支持アーム
６０  右支持アーム
６１  ジョイント梁
６２  紙管フック
６３  扇転軸
６４  角度調整隆起
６５  角度調整突起
【図１】
2017071508.tif 000003
【図２】
2017071508.tif 000004
【図３】
2017071508.tif 000005
【図４】
2017071508.tif 000006
【図５】
2017071508.tif 000007
【図６】
2017071508.tif 000008
【図７】
2017071508.tif 000009
【図８】
2017071508.tif 000010
【図９】
2017071508.tif 000011
【図１０】
2017071508.tif 000012
【図１１】
2017071508.tif 000013
【図１２】
2017071508.tif 000014
【図１３】
2017071508.tif 000015
【図１４】
2017071508.tif 000016
【図１５】
2017071508.tif 000017
【図１６】
2017071508.tif 000018
【図１７】
2017071508.tif 000019
【図１８】
2017071508.tif 000020
【図１９】
2017071508.tif 000021
【図２０】
2017071508.tif 000022
【図２１】
2017071508.tif 000023
【図２２】
2017071508.tif 000024
【図２３】
2017071508.tif 000025
【図２４】
2017071508.tif 000026
【図２５】
2017071508.tif 000027
【図２６】
2017071508.tif 000028
【図２７】
2017071508.tif 000029
【図２８】
2017071508.tif 000030
【図２９】
2017071508.tif 000031